Podtech/llm-jp-corpus-v4-ja_patent huggingface dataset:
【手続補正書】
【提出日】平成19年3月28日(2007.3.28)
【手続補正１】
【補正対象書類名】明細書
【補正対象項目名】００１２
【補正方法】変更
【補正の内容】
【００１２】
パッチアンテナ８は、パッチアンテナ素子６の上方に配置されている。パッチアンテナ素子８は、上述したＵＨＦ帯の約５９０ＭＨｚを中心周波数としており、その波長をλ２とすると、一辺の長さが２２．０ｃｍ（約０．４４λ２）で、他方の辺が２１．０ｃｍ（約０．４２λ２）の導電金属を折り曲げて形成したものである。パッチアンテナ素子８は、２２．０ｃｍの辺が、パッチアンテナ素子６の２２．０ｃｍの辺と重なるように配置されている。また、２１．０ｃｍの辺側が折り曲げられている。パッチアンテナ素子８は、水平部８ａを有している。水平部８ａは、パッチアンテナ素子６の上昇部６ｂと下降部６ｃとの接合部、即ち頂部の上方に、アース板２から５．７ｃｍ（約０．１１λ２）の高さ（パッチアンテナ素子６の水平部６ａから４．７ｃｍ（０．０９４λ２＝約０．０８３λ１）に基端があり、ここから１６．０ｃｍ（０．３２λ２）水平に進行した位置でアース板２から約５．５ｃｍの（約０．１１λ２）高さ（パッチアンテナ素子６の下降部６ｃの下端から約４．５ｃｍ（約０．０９λ２＝約０．０７９λ１）に先端がある。この水平部８ａの先端部から水平方向に０．５ｃｍ（約０．０１λ２）にわたって長さが３ｃｍ（約０．０６λ２）の下降部８ｂが形成されている。この下降部８ｂの先端から約２．０ｃｍ（０．０４λ２）の長さにわたって水平に水平部８ｃが形成されている。このパッチアンテナ素子８は、無給電素子として使用されている。また、図示していないが、適当なスペーサによってアース板２に取り付けられている。パッチアンテナ素子６、８の間隔は、最も離れている位置間で約０．１λ２（＝約０．０８λ１）である。
【手続補正２】
【補正対象書類名】明細書
【補正対象項目名】００１３
【補正方法】変更
【補正の内容】
【００１３】
アンテナパッチ素子８は、アンテナパッチ素子６よりも一方の辺の長さが短く、パッチアンテナ素子６の共振周波数よりも僅かに高い周波数（約６０ＭＨｚ）上側に共振するように構成されている。また、その水平方向の位置は、パッチアンテナ素子６よりも一部ずれており、パッチアンテナ素子６の給電部６ａから約４．０ｃｍ（０．０８λ２＝約０．０７λ１）だけ給電部６ａと反対方向にずれている。
【手続補正３】
【補正対象書類名】明細書
【補正対象項目名】００１７
【補正方法】変更
【補正の内容】
【００１７】
パッチアンテナ素子２６は、約２３ｃｍの辺を折り曲げて約２０ｃｍとしたもので、中心受信周波数を５３０ＭＨｚ、その波長をλ１とすると、上記２３ｃｍは、０．４λ１、２０ｃｍは０．３５λ１となる。パッチアンテナ素子２６は、アース板２２から約２ｃｍ（０．０３５λ１）の高さ位置に約２ｃｍ（０．０３５λ１）にわたって水平な給電部２６ａを有している。この給電部２６ａから水平に約５ｃｍ（約０．０９λ１）に進行し、かつアース板２４から約５．８ｃｍ（約０．１０λ１）の位置まで上昇部２６ｂが形成されている。この上昇部２６ｂの先端から水平に約５ｃｍ（約０．０９λ１）進行し、かつアース板２４からの高さが約４．２ｃｍ（約０．０７λ１）の位置まで下降部２６ｃが形成されている。以下、上昇部２６ｂと２６ｃと同一形状の上昇部２６ｄ、下降部２６ｅが形成されている。この下降部２６ｅに連ねて水平に水平部２６ｆが約１ｃｍ（約０．０１７λ１）の長さに渡って形成されている。給電部２６ａの２２ｃｍの辺の中央部から約１．５ｃｍ（約０．０２８λ１）だけ上昇部２６ｂ側によった位置で給電素子３０によって給電が行われている。
【手続補正４】
【補正対象書類名】明細書
【補正対象項目名】００１８
【補正方法】変更
【補正の内容】
【００１８】
パッチアンテナ素子２８も、中心周波数を５９０ＭＨｚ、その波長をλ２とすると、約２０ｃｍ（約０．４λ２）の辺を折り曲げて、約１７ｃｍ（約０．３４λ２）としたもので、パッチアンテナ素子２６の上昇部２６ｂと下降部２６ｃとの接合部、即ち頂部の上方約２．８ｃｍ（０．０５５λ２）の位置に上昇部２８ｂと下降部２８ｃとの接合部、即ち頂部が位置するように上昇部２８ｂと下降部２８ｃとが配置されている。同様にパッチアンテナ素子２６の下降部２６ｃと上昇部２６ｄとの接合部、即ち谷部の上方約３．０ｃｍ（約０．０６λ２）の位置に下降部２８ｃと上昇部２８ｄとの接合部、即ち谷部が位置するように、下降部２８ｃと上昇部２８ｄとが配置されている。同じくパッチアンテナ素子２６の上昇部２６ｄと下降部２６ｅとの接合部、即ち頂部の上方約２．８ｃｍ（０．０５５λ２）の位置に上昇部２８ｄと下降部２８ｅとの接合部、即ち頂部が位置するように、上昇部２８ｄと下降部２８ｅとが形成されている。パッチアンテナ素子２８においても頂部と谷部との間のアース板２４に沿う方向の距離は約４．５ｃｍ（約０．０９λ２）であり、パッチアンテナ素子２８の下降部２８ｂ、２８ｅの下端部と、パッチアンテナ素子２６の下降部２６ｂ、２６ｅの下端部との距離は、約３．０ｃｍ（０．０６λ２）である。なお、パッチアンテナ素子２８の下降部２８ｂの下端部には水平に約２ｃｍ（約０．０４λ２）に渡って水平部２８ａが形成されている。パッチアンテナ素子２８は無給電素子である。このようにパッチアンテナ素子２６、２８は、下側のパッチアンテナ素子２６の共振周波数よりも、上側のパッチアンテナ素子２６の共振周波数を約６０ＭＨｚ程度高く設定してあり、両者の間隔は約０．０６λ２（約０．０５λ１）である。
【手続補正書】
【提出日】平成19年4月12日(2007.4.12)
【手続補正１】
【補正対象書類名】明細書
【補正対象項目名】００１３
【補正方法】変更
【補正の内容】
【００１３】
水平ブランキング期間中の信号φＶ１および信号φＶ２による負パルス２３，２４と、信号φＶ３および信号φＶ４による正のパルス２５，２６とにより、撮像素子１１の垂直転送ＣＣＤで１ライン分の電荷が垂直転送される。垂直転送されることによって不図示の水平転送ＣＣＤに転送された電荷は、高速に動作する２相パルス信号φＨ１およびφＨ２により水平転送されて、処理回路１５へ出力される。信号φＲは、１ライン分の電荷を水平転送ＣＣＤより処理回路１５へ出力した際に出力浮遊容量に蓄積されている電荷(ノイズ成分)を除去するためのリセットパルス信号である。
【手続補正書】
【提出日】平成18年12月19日(2006.12.19)
【手続補正１】
【補正対象書類名】明細書
【補正対象項目名】特許請求の範囲
【補正方法】変更
【補正の内容】
【特許請求の範囲】
【請求項１】
ハロゲン原子又はトリフルオロメトキシ基に対するオルト位に水素原子を有する芳香族化合物の、適当な塩基を使用する脱プロトン化による、又は適当なメタル化剤を使用するハロ芳香族化合物のハロゲン−メタル交換によるオルトハロアリールメタル化合物の製造及び親電子試薬とのそれらの反応のための方法であって、オルトハロアリールメタル化合物が連続流通反応装置中で製造されることを特徴とする、前記方法。
【請求項２】
使用される親電子試薬が、ケトン、カルボキサミド又はアルデヒドである、請求項１に記載の方法。
【請求項３】
ハロゲン原子又はトリフルオロメトキシ基に対するオルト位に水素原子を有する芳香族化合物の、適当な塩基を使用する脱プロトン化により、又は適当なメタル化剤を使用するハロ芳香族化合物のハロゲン−メタル交換により、下記式Ｉ：
【化１】
2000229981.tif 000001
（式中、
Ｑは、Ｆ、Ｃｌ又はＢｒであり、
Ｒ１は、Ｈ、Ｆ、Ｃｌ、Ｂｒ、ＣＮ、アルキル、アルケニル、アルコキシ、アルケニルオキシであって、各々の場合に１８個までの炭素原子を有し、又はメソゲン性（ｍｅｓｏｇｅｎｉｃ）基であり、
Ｗ、Ｘ及びＹは、各々の場合に互いに独立してＮ、ＣＨ、ＣＣＮ又はＣＦであり、そして、
Ｅは、
【化２】
2000229981.tif 000002
であり、
式中、
Ｒ２は、１個から１５個までの炭素原子を有するアルキル、アルコキシ、アルケニル、アルケニルオキシ、又は基Ｒ１に対応するメソゲン性基であり、
Ｍは、Ｌｉ、Ｋ、ＭｇＢｒ、ＭｇＣｌ又はＭｇＩであり、
Ｓは、０又は１であり、
ＢＸ２は、式
【化３】
2000229981.tif 000003
のトリオキサトリボリノン基であり、
式中、
Ｚは、
【化４】
2000229981.tif 000004
であるか、又は式
−Ｂ（ＯＲ３）（ＯＲ４）
の基であり、
Ｒ３及びＲ４は、Ｈ、１０個までの炭素原子を有するアルキル、アルケニル又はシクロアルキル、又は一緒になって式−（ＣＨ２）ｎ−又は−ＣＨ２ＣＨＲ５−ＣＨ２−のアルキレンジイル基で、式中ｎは２、３又は４であり、そしてＲ５は、１８個までの炭素原子を有するアルキル、アルコキシ又はアルケニル、又は式ＩＩに対応するメソゲン性基であり、そして
ＳＩは、式−Ｓｉ（Ｒ６）３のトリヒドロカルビルシリル基であって、式中Ｒ６は、各々の場合に互いに独立して脂肪族基、脂環式基、芳香族脂肪族基または芳香族基であり、
ＴｉＸ３は、式ＴｉＢｒ３、ＴｉＣｌ３又はＴｉ（ＯＲ３）３の基であり、そして
ＺｎＸは、式ＺｎＢｒ、ＺｎＣｌ、ＺｎＲ３またはＺｎＯＲ３の基である）
の化合物を得る、オルトハロアリールメタル化合物の製造及び親電子試薬とのそれらの反応のための方法であって、オルトハロアリールメタル化合物が連続流通反応装置中で製造されることを特徴とする、前記方法。
【請求項４】
Ｒ１が式ＩＩ、
Ｒ０−Ａ１−Ｚ１−（Ａ２−Ｚ２）ｍ−     ＩＩ
（Ｒ０は、Ｆ、ＣＮ、非置換又はＣＮ、ハロゲン又はＣＦ３で置換された１５個までの炭素原子を有するアルキル基又はアルケニル基であって、これらの基において、さらに、 Ｓ−及び／又はＯ−原子が互いに直接結合されていないように、１又は２以上のＣＨ２基が、各々の場合に互いに独立して−Ｓ−、−Ｏ−、−ＣＯ−Ｏ−、−Ｏ−ＣＯ−又は−Ｏ−ＣＯ−Ｏ−によって置換されていてもよく、
Ｚ１及びＺ２は、各々の場合に互いに独立して−ＣＨ２ＣＨ２−、−Ｃ≡Ｃ−、−ＣＨ２Ｏ−、−ＯＣＨ２−、−ＣＯ−Ｏ−、−Ｏ−ＣＯ−、−ＣＨ＝Ｎ−、−Ｎ＝ＣＨ−、−ＣＨ２Ｓ−、−ＳＣＨ２−、単結合又はＣＨ２基が−Ｏ−、−ＣＯ−Ｏ−、−Ｏ−ＣＯ−、−ＣＨ ハロゲン−又は−ＣＨＣＮ−によって置換されていてもよい３個から６個の炭素原子を有するアルキレン基であり、そして
Ａ１及びＡ２は、各々の場合に互いに独立して、
ａ）さらに、１又は２以上の非隣接ＣＨ２基が、−Ｏ−及び／又は−Ｓ−によって置換されていてもよいトランス−１，４−シクロヘキシレン基、
ｂ）さらに、１又は２以上のＣＨ基が、Ｎによって置換されていてもよい１，４−フェニレン基、
ｃ）１，３−シクロブチレン、１，３−ビシクロ（１，１，１）ペンチレン、１，４−シクロヘキセニレン、１，４−ビシクロ（２，２，２）オクチレン、ピペリジン−１，４−ジイル、ナフタレン−２，６−ジイル、デカヒドロナフタレン−２，６−ジイル及び１，２，３，４−テトラヒドロナフタレン−２，６−ジイルからなるグループからの基、
ここで、基（ａ）及び（ｂ）は、ＣＮ又はＦによって置換されていてもよい、そしてｍは、０、１又は２である）
のメソゲン性基であることを特徴とする、請求項３に記載の方法。
【請求項５】
メタルアミド、アルキルメタル化合物又はアリールメタル化合物が、ハロ芳香族化合物又はトルフルオロメトキシ芳香族化合物の脱プロトン化のために使用されることを特徴とする、請求項１から４のいずれか一項に記載の方法。
【請求項６】
メタルアミドが、メタル化されるべき芳香族化合物の存在下に、対応するアミンのアルキルメタル化合物との反応によって製造されることを特徴とする、請求項５に記載の方法。
【請求項７】
触媒量のアミンが使用されることを特徴とする、請求項６に記載の方法。
【請求項８】
アルキルメタル化合物が、ハロゲン−メタル交換のために使用されることを特徴とする、請求項１から４のいずれか一項に記載の方法。
【請求項９】
出発物質を、−４０℃から＋４０℃の温度で連続流通反応装置において反応する、請求項１から８のいずれか一項に記載の方法。
【請求項１０】
出発物質が、不活性溶媒の溶液として連続流通反応装置へ導入されることを特徴とする、請求項１から９のいずれか一項に記載の方法。
【請求項１１】
アリールリチウム化合物の製造及び親電子試薬とのそれらの反応に対する、請求項１から１０のいずれか一項に記載の方法。
【手続補正書】
【提出日】平成19年3月19日(2007.3.19)
【手続補正１】
【補正対象書類名】明細書
【補正対象項目名】発明の名称
【補正方法】変更
【補正の内容】
【発明の名称】体感装置及びゲーム装置
【手続補正２】
【補正対象書類名】明細書
【補正対象項目名】特許請求の範囲
【補正方法】変更
【補正の内容】
【特許請求の範囲】
【請求項１】  ゲーム装置に関連して設けられた光源と、
該光源からの光を遊技者に照射するように光を収束させる集光手段と、
該集光手段から照射された光のうち可視光領域を遮断する光学フィルタと、
からなることを特徴とする体感装置。
【請求項２】  前記光源から発光される光の収束位置を前記光学フィルタから所定距離離間した位置に設定するレンズを備えてなることを特徴とする請求項１記載の体感装置。
【請求項３】  前記光源は、少なくとも赤外線または紫外線を含む波長の光を放射することを特徴とする請求項１または２に記載の体感装置。
【請求項４】  前記集光手段は、少なくとも遊技者の露出部分に光を収束させることを特徴とする請求項１乃至３の何れかに記載の体感装置。
【請求項５】  前記光源から発光される光の強度を時間の経過と共に変化させる制御手段を備えてなることを特徴とする請求項１乃至４の何れかに記載の体感装置。
【請求項６】  前記光源から発光される光を断続的に照射させる制御手段を備えてなることを特徴とする請求項１乃至５の何れかに記載の体感装置。
【請求項７】  前記遊技者の位置を検出する検出手段と、
該検出手段からの検出信号に応じて前記光源を点灯または消灯させる制御手段とを備えてなることを特徴とする請求項１乃至６の何れかに記載の体感装置。
【請求項８】  前記遊技者の位置を検出する検出手段と、
該検出手段からの検出信号に応じて前記集光手段による照射位置を移動させる移動手段と、
を備えてなることを特徴とする請求項１乃至７の何れかに記載の体感装置。
【請求項９】  遊戯者に複数の被選択対象を提示し、前記遊戯者の選択に基づいてゲームを進行させるゲーム装置において、
少なくとも赤外線または紫外線を含む波長の光を放射する光源と、
前記被選択対象の夫々に対応する位置に前記光源からの光を照射するように光を収束させる集光手段と、
前記集光手段から照射された光のうち可視光領域を遮断する光学フィルタと、
前記被選択対象の夫々に対応する位置に前記光源の光を照射するか否かを、前記被選択対象の夫々に基づいて決定する制御手段と、
を備えてなることを特徴とするゲーム装置。
【請求項１０】  前記被選択対象は、カード状であり、
前記被選択対象を並べるパネルを備え、
前記集光手段は、前記光源からの光を任意の前記被選択対象の位置に対向する所定距離に光を収束させることを特徴とする請求項９に記載のゲーム装置。
【手続補正３】
【補正対象書類名】明細書
【補正対象項目名】０００１
【補正方法】変更
【補正の内容】
【０００１】
【発明の属する技術分野】
本発明はゲーム中の遊技者に対し目に見えない不思議な感覚を非接触で与えるよう構成された体感装置及びゲーム装置に関する。
【手続補正４】
【補正対象書類名】明細書
【補正対象項目名】０００５
【補正方法】変更
【補正の内容】
【０００５】
そこで、本発明は上記課題を鑑みて発明されたものであり、目に見えない光を感じさせることで不思議な感覚を体感できるようにした体感装置及びゲーム装置を提供することを目的とする。
【手続補正５】
【補正対象書類名】明細書
【補正対象項目名】００２３
【補正方法】変更
【補正の内容】
【００２３】
また、上記請求項９記載の発明は、遊戯者に複数の被選択対象を提示し、前記遊戯者の選択に基づいてゲームを進行させるゲーム装置において、
少なくとも赤外線または紫外線を含む波長の光を放射する光源と、
前記被選択対象の夫々に対応する位置に前記光源からの光を照射するように光を収束させる集光手段と、
前記集光手段から照射された光のうち可視光領域を遮断する光学フィルタと、
前記被選択対象の夫々に対応する位置に前記光源の光を照射するか否かを、前記被選択対象の夫々に基づいて決定する制御手段と、
を備えてなることを特徴とするゲーム装置である。
【手続補正６】
【補正対象書類名】明細書
【補正対象項目名】００２４
【補正方法】変更
【補正の内容】
【００２４】
従って、請求項９記載の発明によれば、集光手段から照射された光のうち可視光領域を遮断し、且つ被選択対象の夫々に対応する位置に光源の光を照射するか否かを、被選択対象の夫々に基づいて決定するため、遊技者は目に見えない光による熱を感じ取ることで、どの被選択対象を選択すれば良いのかを判断することができ、不思議な感覚を感じるように演出することができる。
また、上記請求項１０記載の発明は、前記被選択対象は、カード状であり、
前記被選択対象を並べるパネルを備え、
前記集光手段は、前記光源からの光を任意の前記被選択対象の位置に対向する所定距離に光を収束させることを特徴とするものである。
従って、請求項１０記載の発明によれば、光源からの光をカードを選ぼうとする遊技者に収束させ、且つ光学フィルタにより照射された光のうち可視光領域を遮断するため、遊技者は目に見えない光による熱を感じ取ることができ、どのカードを選択すれば良いのかを判断することができ、不思議な感覚を感じるように演出することができる。
【手続補正７】
【補正対象書類名】明細書
【補正対象項目名】００２７
【補正方法】変更
【補正の内容】
【００２７】
図１に示されるように、体感装置としての照射装置１０は、カードゲーム装置１１のテーブル１６内部に設けられており、カードゲームを行なう遊技者の手またはカード１２（被選択対象）に赤外線を照射して当たりカードであることを知らせることができるように構成されている。照射装置１０は、大略、赤外線を発光する赤外線ランプからなる光源１７と、光源１７から発光された赤外線を集光する集光部材１３と、集光部材１３からの光を屈折させて所定距離の位置に収束させるレンズ１４と、レンズ１４からの光に含まれる可視光を遮断する光学フィルタ１５とを有する。尚、本実施例では、図示していないが、光源１７、集光部材１３、レンズ１４は、一のユニットとして予め支持台２３上に取り付けられている。
【手続補正８】
【補正対象書類名】明細書
【補正対象項目名】０１５９
【補正方法】変更
【補正の内容】
【０１５９】
また、請求項９記載の発明によれば、集光手段から照射された光のうち可視光領域を遮断し、且つ被選択対象の夫々に対応する位置に光源の光を照射するか否かを、被選択対象の夫々に基づいて決定するため、遊技者は目に見えない光による熱を感じ取ることで、どの被選択対象を選択すれば良いのかを判断することができ、不思議な感覚を感じるように演出することができる。
また、請求項１０記載の発明によれば、光源からの光をカードを選ぼうとする遊技者に収束させ、且つ光学フィルタにより照射された光のうち可視光領域を遮断するため、遊技者は目に見えない光による熱を感じ取ることができ、どのカードを選択すれば良いのかを判断することができ、不思議な感覚を感じるように演出することができる。
【手続補正書】
【提出日】平成19年5月7日(2007.5.7)
【手続補正１】
【補正対象書類名】明細書
【補正対象項目名】特許請求の範囲
【補正方法】変更
【補正の内容】
【特許請求の範囲】
【請求項１】  夫々のパチンコ島の下部に主貯玉タンクを、上部に分配タンクを夫々配置し、主貯玉タンクに貯蔵のパチンコ玉又はパチンコ台のアウト球を還元機で分配タンクに揚送し、分配タンクからパチンコ台及び主貯玉タンクにパチンコ玉を補給流入させるパチンコ玉の循環流通装置を有するものにおいて、
複数のパチンコ島に亘ってパチンコ玉を移送する様に設けられた移送装置は、パチンコ玉を移送する搬送装置を配置すると共に、分配タンクと移送装置の間でパチンコ玉を受渡受入自在と成し、
分配タンクは、貯蔵されるパチンコ玉をパチンコ台へ補給すると共に、所定量以上では主貯玉タンクへ流入させる様に成し、移送装置から移送されるパチンコ玉は、所定の条件に基づいて、主貯玉タンクへ流入またはパチンコ台へ補給される様に流通経路を選択自在と成したことを特徴とするパチンコ玉の貯蔵移送装置。
【請求項２】  分配タンクにおける流通経路の選択自在な構成は、分配タンク内に貯玉空間及び流通空間を夫々設けると共に落下筒を立設し、該落下筒の上端を開口すると共に落下筒の下端を流通空間内に開口し、又移送装置からの連結口を貯玉空間及び落下筒に連通すると共に、連結口における貯玉空間又は落下筒への連通開口の一方を選択的に閉鎖する様にしたことを特徴とする請求項１記載のパチンコ玉の貯蔵移送装置。
【請求項３】  連結口の貯玉空間又は落下筒への連通開口の一方を閉鎖する非常シャッターをスライド移動自在に設けたことを特徴とする請求項２記載のパチンコ玉の貯蔵移送装置。
【請求項４】  分配タンクの側壁に貯玉空間に連通する開口部を設けると共に落下筒に開口部を設け、非常シャッターに設けた連通開口部が貯玉空間又は落下筒に連通自在と成る様に、非常シャッターをスライド移動自在に設けたことを特徴とする請求項３記載のパチンコ玉の貯蔵移送装置。
【請求項５】  前記所定の条件が、正常時または非常時であり、正常時には、前記移送装置から移送されるパチンコ玉は主貯玉タンクへ流入され、非常時には、前記移送装置から移送されるパチンコ玉はパチンコ台へ補給されることを特徴とする請求項１乃至４のいずれか１項記載のパチンコ玉の貯蔵移送装置。
【請求項６】  正常時に全てのパチンコ島における主貯玉タンクの貯蔵量を所定量に維持し、非常時に正常なパチンコ島から異常発生のパチンコ島にパチンコ玉を融通すると共に、正常なパチンコ島の貯蔵量を均等化する様に、貯蔵移送装置を制御する制御装置を設けたことを特徴とする請求項１乃至５のいずれか１項記載のパチンコ玉の貯蔵移送装置。
【手続補正２】
【補正対象書類名】明細書
【補正対象項目名】０００９
【補正方法】変更
【補正の内容】
【０００９】
【課題を解決するための手段】
本発明は、上記従来技術に基づく、１台の還元機が故障した時に、揚送不可パチンコ島に円滑にパチンコ玉を融通出来ない課題、及びパチンコホール内の全パチンコ島の貯玉量の均等化が困難な課題に鑑み、複数のパチンコ島に亘ってパチンコ玉を移送する様に設けられた移送装置は、パチンコ玉を移送する搬送装置を配置すると共に、分配タンクと移送装置の間でパチンコ玉を受渡受入自在と成し、貯蔵されるパチンコ玉をパチンコ台へ補給すると共に、所定量以上では主貯玉タンクへ流入させる様に成し、移送装置から移送されるパチンコ玉は、所定の条件に基づいて、主貯玉タンクへ流入またはパチンコ台へ補給される様に流通経路を選択自在と成すことによって、移送装置で迅速均等に揚送不可パチンコ島へパチンコ玉を融通移送し、且つ、分配タンクで異常時にもパチンコ台にパチンコ玉を流通補給する様にして、上記課題を解決する。
【手続補正書】
【提出日】平成19年3月13日(2007.3.13)
【手続補正１】
【補正対象書類名】明細書
【補正対象項目名】０００３
【補正方法】変更
【補正の内容】
【０００３】
ところで、遊技機は、コンピュータ、センサ、アクチュエータ、モータ等の多くの部品が組み合わされて作られている。この様な部品は、それぞれ固有の寿命を有しており、部品のそれぞれの保守点検期間が相異している。
しかしながら、従来の技術では遊技機全体の保守時期の把握は可能であるが、部品の各々の保守点検時期を別々に把握することは出来なかった。又、部品交換が行われた場合には、その交換された部品の保守点検時期だけ更新することが出来なかった。
【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】  触媒粒子の表面にプロトン伝導性を有さない有孔性樹脂を備えることを特徴とする複合触媒。
【請求項２】  触媒粒子の表面に樹脂ａを溶媒ｂに溶解した溶液ｃを付着させたのち、樹脂ａを相分離させることを特徴とする、請求項１記載の複合触媒の製造方法。
【手続補正２】
【補正対象書類名】明細書
【補正対象項目名】００１５
【補正方法】変更
【補正の内容】
【００１５】
【課題を解決するための手段】
本発明の複合触媒は、触媒粒子の表面にプロトン伝導性を有さない有孔性樹脂を備えることを特徴とする。そして、触媒粒子が触媒金属を坦持したカーボン粒子であることが好ましい。さらに、触媒粒子に対して０．０１〜３０ｗｔ％の有孔性樹脂を備えることが好ましい。また、上記有孔性樹脂がフッ素樹脂であることが好ましい。
【手続補正３】
【補正対象書類名】明細書
【補正対象項目名】００１６
【補正方法】変更
【補正の内容】
【００１６】
本発明の複合触媒の製造方法は、触媒粒子の表面に樹脂ａを溶媒ｂに溶解した溶液ｃを付着させたのち、樹脂ａを相分離させることを特徴とする。また、触媒粒子の表面に樹脂ａを溶媒ｂに溶解した溶液ｃを付着させたのち、前記樹脂ａに対して不溶性で、かつ溶媒ｂと相溶性の溶媒ｄにより、溶液ｃ中の溶媒ｂを抽出することが好ましい。
【手続補正４】
【補正対象書類名】明細書
【補正対象項目名】００１７
【補正方法】変更
【補正の内容】
【００１７】
また本発明は、上記複合触媒の製造方法において、触媒粒子が触媒金属を坦持したカーボン粒子であることが好ましく、さらに、樹脂ａがフッ素樹脂であるとが好ましい。
【手続補正５】
【補正対象書類名】明細書
【補正対象項目名】００１８
【補正方法】変更
【補正の内容】
【００１８】
さらに本発明は、上記複合触媒の製造方法によって、表面にフッ素樹脂を備えた触媒粒子を製作した後に、そのフッ素樹脂をフッ素化することが好ましい。
【手続補正６】
【補正対象書類名】明細書
【補正対象項目名】００２３
【補正方法】変更
【補正の内容】
【００２３】
本発明に係る複合触媒は、その表面にプロトン伝導性を有さない有孔性樹脂を備えているために、撥水性と結着性とを有している。また、有孔性樹脂であるために、触媒粒子の表面を完全に覆うことがなく、触媒活性も保たれる。このため、本発明に係る複合触媒を用いた触媒層は、撥水性と機械強度が高く、燃料電池の電極に使用した場合、高出力な燃料電池を提供できる。
【手続補正７】
【補正対象書類名】明細書
【補正対象項目名】００５５
【補正方法】変更
【補正の内容】
【００５５】
【発明の効果】
本発明の、触媒粒子の表面にプロトン伝導性を有さない有孔性樹脂を備えることを特徴とする複合触媒によれば、反応物であるガスの触媒層内への拡散が促進されて従来の電極に比べて実際に作用する電極面積が大きくなり、燃料電池に使用することにより、高性能な燃料電池の製造が可能となる。また、本発明の製造方法によれば、高性能な複合触媒を製造することができる。
【手続補正書】
【提出日】平成19年1月23日(2007.1.23)
【手続補正１】
【補正対象書類名】明細書
【補正対象項目名】特許請求の範囲
【補正方法】変更
【補正の内容】
【特許請求の範囲】
【請求項１】  凝集剤を添加した凝集処理を行った後、凝集処理水をろ材層に通水してろ過処理を行うろ過処理方法において、
通水時において、ろ材層へ供給する原水に対し凝集剤を所定量添加するとともに、ｐＨを所定範囲に制御したコーティング水をろ材表面に凝集剤を付着させるのに必要な予め定められた量だけ流通させ、ろ材層のろ材の表面に凝集剤を付着させる凝集剤付着工程を所定の頻度で実施することを特徴とするろ過処理方法。
【請求項２】  請求項１に記載の方法において、
ろ材層に逆方向に逆洗水を流通しろ材を洗浄する逆洗工程を有し、
この逆洗工程において、ろ材層へ供給する逆洗水に対し凝集剤を所定量添加するとともに、ｐＨを所定範囲に制御したコーティング水を予め定められた量だけ流通させ、ろ材層のろ材表面に凝集剤を付着させる凝集剤付着工程を実施することを特徴とするろ過処理方法。
【請求項３】  請求項１または２に記載の方法において、
前記凝集剤付着工程においては、
凝集剤としてポリ塩化アルミニウムを４０〜８０ｍｇ／ｌとなるように添加し、ｐＨが５．０±０．５の範囲内に制御したコーティング水を用いて凝集剤の付着を行うことを特徴とするろ過処理方法。
【請求項４】  請求項１〜３のいずれか１つに記載の方法において、
前記凝集剤付着工程においてコーティング水を流通させる量は、ろ材の空隙体積の１．５〜２．５倍量とすることを特徴とするろ過処理方法。
【手続補正書】
【提出日】平成19年1月22日(2007.1.22)
【手続補正１】
【補正対象書類名】明細書
【補正対象項目名】０００３
【補正方法】変更
【補正の内容】
【０００３】
すなわち、上記した駆動部を液槽の上方に設ける、いわゆる上部駆動式の場合、この駆動部と軸封装置を介して上端を接続された回転軸は、吸気管の中を貫通して、液中開放端の下方で、その下端が回転インペラと接続されている。したがって、回転軸の周囲の狭い空間が、吸引された気体の通路となるため、気体中に例えば、水分と反応して固形物を生成し易い物質が存在すると、吸気管内で固形物が生成して、気体の通路を閉塞するという問題が生じ易い。
【手続補正２】
【補正対象書類名】明細書
【補正対象項目名】００２３
【補正方法】変更
【補正の内容】
【００２３】
吸気管１の材質としては、特に限定されず、プラスチックス、ステンレス鋼、強化ガラス等が用いられる。しかし、排ガスの成分中には水に溶解して酸性を示す成分が多いことから、ポリ塩化ビニル、ポリエチレン、ポリプロピレン等のプラスチックスを用いること好ましく、そのうち目視を可能にできる透明な材質のものを選ぶのが特に有利である。また、吸気管１の内面をテフロン（登録商標）でコーティングをすると生成したSiO2、B2O3等の固形物が付着し難いという点でさらに好ましい。
【手続補正３】
【補正対象書類名】明細書
【補正対象項目名】００３７
【補正方法】変更
【補正の内容】
【００３７】
吸気管１は、内径５３ｍｍの透明塩化ビニル製であり、内径４００ｍｍの吸収液槽２に固定されている。吸気管１の開放端３は、吸収液槽２の底部から２２５ｍｍの高さに位置し、吸収液４としての水の液面は、７８５ｍｍである。水面からの深さ、５６０ｍｍに位置する開放端３と回転インペラ５のすきまは、４．５ｍｍにセットされている。開放端３と排ガス導入部１０の間の長さ８６５ｍｍであり、水スプレイ手段１５は下部開放端３の近傍に位置している。テフロン（登録商標）製のインペラを有する回転インペラ５（直径１２０ｍｍ）は、軸封装置７を介して回転軸６により駆動部８に接続されている。
【手続補正書】
【提出日】平成19年1月22日(2007.1.22)
【手続補正１】
【補正対象書類名】明細書
【補正対象項目名】０００３
【補正方法】変更
【補正の内容】
【０００３】
すなわち、上記した駆動部を液槽の上方に設ける、いわゆる上部駆動式の場合、この駆動部と軸封装置を介して上端を接続された回転軸は、吸気管の中を貫通して、液中開放端の下方で、その下端が回転インペラと接続されている。したがって、回転軸の周囲の狭い空間が、吸引された気体の通路となるため、気体中に例えば、水分と反応して固形物を生成し易い物質が存在すると、吸気管内で固形物が生成して、気体の通路を閉塞するという問題が生じ易い。
【手続補正２】
【補正対象書類名】明細書
【補正対象項目名】００１６
【補正方法】変更
【補正の内容】
【００１６】
一方、上記吸気管に用いられる材料としては、プラスチックス、ステンレス鋼、ニッケル合金鋼等の金属、強化ガラス等があげられる。しかし、排ガスの成分中には水に溶解して酸性を示す成分が多いことから、ポリ塩化ビニル、ポリエチレン、ポリプロピレン等のプラスチックスを用いることが好ましい。また、吸気管の内面をテフロン（登録商標）でコーティングをすると生成したSiO2、B2O3等の固形物が付着し難く、さらに付着しても掻き落とし易いという点でさらに好ましい。
【手続補正書】
【提出日】平成19年1月9日(2007.1.9)
【手続補正１】
【補正対象書類名】明細書
【補正対象項目名】特許請求の範囲
【補正方法】変更
【補正の内容】
【特許請求の範囲】
【請求項１】  幹に相当するスプルーに所定個数のワックス模型を接着してツリー状の消失性模型に組立てる装置のワックス模型の把持機構において、組立用装置のワックス模型を把持する把持部分が接着時点でスプルーに対し、法線方向にスライドする機構を有することを特徴とする消失性模型の組立装置用把持機構。
【請求項２】  幹に相当するスプルーに所定個数のワックス模型を接着してツリー状の消失性模型に組立てる装置のワックス模型の把持機構において、組立用装置のワックス模型を吸着する機構と把持部分が接着時点でスプルーに対し、法線方向にスライドする機構を有することを特徴とする請求項１に記載の消失性模型の組立装置用把持機構。
【手続補正２】
【補正対象書類名】明細書
【補正対象項目名】０００９
【補正方法】変更
【補正の内容】
【０００９】
すなわち本発明は、幹に相当するスプルーに所定個数のワックス模型を接着してツリー状の消失性模型に組立てる装置のワックス模型の把持機構において、組立用装置のワックス模型を把持する把持部分が接着時点でスプルーに対し、法線方向にスライドする機構を有することを特徴としている。また、該把持機構には、組立用装置のワックス模型を吸着する機構と把持部分が接着時点でスプルーに対し、法線方向にスライドする機構を有していてもよい。上述した消失性模型の組立装置用把持機構に係わる発明の構成をもって前述した従来の課題を解決するための手段としている。
【手続補正３】
【補正対象書類名】明細書
【補正対象項目名】００１０
【補正方法】変更
【補正の内容】
【００１０】
【発明の実施の形態】上述したように、本発明の重要な特徴は、幹に相当するスプルーに所定個数のワックス模型を接着してツリー状の消失性模型に組立てる装置のワックス模型の把持機構において、組立用装置のワックス模型を把持する把持部分が接着時点でスプルーに対し、法線方向にスライドする機構を有する消失性模型の組立装置用把持機構を採用したことにある。また、該把持機構は、組立用装置のワックス模型を吸着する機構と把持部分が接着時点でスプルーに対し、法線方向にスライドする機構を有していてもよい。
【手続補正４】
【補正対象書類名】明細書
【補正対象項目名】符号の説明
【補正方法】変更
【補正の内容】
【符号の説明】
１．ワックス模型
２．スプルー
３．射出成型機
４．射出成形型
５．ロボット
６．ハンド
７．吸着パッド
８．チャックプレート
９．爪
１０．リニアプレート
１１．スライドベアリング
１２．スプリング
１３．載置台
【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  所定の投資価値を入力する入力手段と、
複数の識別情報を可変表示する可変表示手段と、
該可変表示手段の可変表示を停止させるべく操作される操作手段と、
所定の作動条件成立に基づいて前記可変表示手段を可変表示させるとともに、前記操作手段の操作に基づいて前記可変表示手段の可変表示を停止させるべく、前記可変表示手段を表示制御する表示制御手段と、
前記可変表示手段にて停止された識別情報が特定識別情報である場合には所定の遊技価値を付与する出力手段と
を備えた遊技機において、
前記入力手段にて入力される投資価値と前記出力手段にて付与される遊技価値とを近づけるように制御する制御手段を有し、該制御手段は所定の第１条件の成立を必要条件として作動し、所定の第２条件成立を必要条件として作動終了することを特徴とする遊技機。
【請求項２】  前記可変表示手段に停止表示される特定識別情報は複数種の小役図柄を含んで構成されており、これら各種小役図柄には、前記可変表示手段を１度可変表示させて停止させる１ゲームを行うのに前記入力手段から入力される投資価値とほぼ等しい遊技価値を得られる特定小役図柄が設定されており、前記制御手段は、前記特定小役図柄が出現し易くなるように制御するものである請求項１に記載の遊技機。
【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】
遊技状況を検出する遊技状況検出手段と、
前記遊技状況検出手段の検出結果に応じて抽選を行う抽選手段と、
該抽選手段による抽選に基づき、複数の列で図柄を変動表示した後に所定の停止順で各列の変動表示を停止して停止図柄を表示する表示器と、
前記遊技状況検出手段による所定遊技状況の検出回数を、所定数を上限として記憶する記憶手段と、
該記憶手段の記憶回数に基づき、前記表示器にて図柄を変動させる時間である画像変動時間を決定する画像変動時間決定手段と、
少なくとも前記画像変動時間決定手段による画像変動時間に関する表示制御指令を送信する主制御手段と、
前記表示制御指令にて指示された画像変動時間に従い前記表示器を作動させる副制御手段と
を備える遊技機であって、
前記表示器は、図柄の変動表示中の態様として、
遊技者に有利な特別遊技状態の発生に先立ち行なわれるリーチ演出であり、停止順の最初から２番目以降の所定番目までの列にて停止図柄を表示したときの各停止図柄の組合わせに基づいて開始され、他の列にて図柄が未だ変動中の状態で行なわれるリーチ演出、からなる特定演出を表示する態様と、
該特定演出を表示しない態様と
を含むものであり、
前記画像変動時間決定手段は、
前記抽選手段の抽選結果に基づきリーチ演出の実施の有無を判定するリーチ判定手段と、
該リーチ判定手段によるリーチ演出不実施の判定に応じて前記記憶手段の記憶回数に関する第１条件を選択し、リーチ演出実施の判定に応じて第２条件を選択する条件選択手段と
を含むものであると共に、
前記条件選択手段により前記第１条件が選択された場合には、該第１条件によって、前記リーチ演出を行なわない場合の画像変動時間として２種類以上の第１変動時間の中から一つの第１変動時間を決定し、一方、前記条件選択手段により前記第２条件が選択された場合には、該第２条件によって、前記リーチ演出を行なう場合の画像変動時間として少なくとも１種類の第２変動時間の中から一つの第２変動時間を決定して、前記２種類以上の第１変動時間及び前記少なくとも１種類の第２変動時間の中から一つの変動時間を画像変動時間とするものであり、
前記副制御手段は、
画像変動時間を前記第２変動時間とする特定の表示制御指令に応じた図柄表示に際して、第３条件の成立または不成立に応じて、図柄の変動開始からリーチ演出の開始までの間における図柄の変動パターンを異ならせる変動速度パターン変更手段を備え、
前記第３条件の成立に基づき、停止順の少なくとも最初の列を含む所定の列において、前記２種類以上の第１変動時間のうちの一つの第１変動時間を画像変動時間とした場合の停止タイミングと略同一タイミングで図柄を停止させた後、前記所定の列のうちの少なくとも一つの列の図柄を、再度、変動させ、再度、停止させてリーチ演出を行い、
一方、前記第３条件の不成立に基づき、停止順の最初から前記所定番目までの列にて図柄を順次停止させると共に、前記所定番目の列の図柄を、前記第３条件の成立によってリーチ演出を開始するタイミングと同一タイミングで停止させて、前記第３条件の成立によって行われるリーチ演出と同一時間のリーチ演出を行う
ものである
ことを特徴とする遊技機。
【手続補正書】
【提出日】平成19年3月15日(2007.3.15)
【手続補正１】
【補正対象書類名】明細書
【補正対象項目名】００２３
【補正方法】変更
【補正の内容】
【００２３】
本発明の脱イオン水製造方法に用いる被処理水としては、特に制限されず、例えば井水、水道水、下水、工業用水、河川水、半導体製造工場の半導体デバイスなどの洗浄排水又は濃縮室からの回収水などを逆浸透膜処理した透過水が挙げられる。このように前処理として逆浸透膜処理を行い、透過水の一部を濃縮水としても使用する場合、脱塩室に供給される被処理水及び濃縮室に供給される濃縮水を軟化後、使用することがスケール発生を抑制できる点で好ましい。軟化の方法は、特に限定されないが、ナトリウム形のイオン交換樹脂等を用いた軟化器が好適である。
【手続補正２】
【補正対象書類名】明細書
【補正対象項目名】００２７
【補正方法】変更
【補正の内容】
【００２７】
（運転の条件）
・電気式脱イオン水製造装置；試作ＥＤＩ
・第１小脱塩室；幅３００mm、高さ６００mm、厚さ３mm
・第１小脱塩室に充填したイオン交換樹脂；アニオン交換樹脂（Ａ）とカチオン
交換樹脂（Ｋ）の混合イオン交換樹脂（混合比は体積比でＡ：Ｋ＝１：１）
・第２小脱塩室；幅３００mm、高さ６００mm、厚さ８mm
・第２小脱塩室充填イオン交換樹脂；アニオン交換樹脂
・装置全体の流量；１ｍ3 ／ｈ
【手続補正３】
【補正対象書類名】明細書
【補正対象項目名】００３０
【補正方法】変更
【補正の内容】
【００３０】
（運転の条件）
・電気式脱イオン水製造装置；ＥＤＩ（オルガノ社製）
・脱塩室；幅３００mm、高さ６００mm、厚さ８mm
・脱塩室の下流側に充填したイオン交換樹脂；アニオン交換樹脂（Ａ）とカチオ
ン交換樹脂（Ｋ）の混合物（混合比は体積比でＡ：Ｋ＝１：１）
・装置全体の流量；１ｍ3 ／ｈ
【手続補正書】
【提出日】平成19年4月12日(2007.4.12)
【手続補正１】
【補正対象書類名】特許請求の範囲
【補正対象項目名】請求項１８
【補正方法】変更
【補正の内容】
【請求項１８】
医療機関における各種業務の遂行と医療の質向上とを支援する医療マネジメント支援方法であって、
所定の医療マネジメント支援装置が、上記医療機関における医療従事者の操作に応じて、患者を入院させて退院させるという作業をプロジェクトと捉え、プロジェクトマネジメント理論の１つであるクリティカルチェーン理論にしたがって、現在の状態から退院基準を満たす状態へと患者の状態を改善するために完了すべき一連の臨床行為をタスクとして並べ、臨床評価指標及び／又は臨床的アウトカムとして表される各タスクの完了基準、各タスクの実行に必要な所要時間、及び各タスクの実行に必要なリソースを設定するとともに、上記所要時間内でタスクが完了しない場合の猶予時間としてのバッファを挿入し、患者毎のプロジェクトネットワーク図の作成を行うネットワーク図作成工程と、
上記医療マネジメント支援装置が、上記ネットワーク図作成工程にて作成されたプロジェクトネットワーク図、及び患者に対する診療内容又は検査内容の記録を含む各種情報を記憶手段に記憶させる記憶工程と、
上記医療マネジメント支援装置が、少なくとも上記記憶手段に記憶されているプロジェクトネットワーク図を、上記医療機関における医療従事者が閲覧する所定の表示手段に表示させる表示工程とを備えること
を特徴とする医療マネジメント支援方法。
【手続補正２】
【補正対象書類名】特許請求の範囲
【補正対象項目名】請求項１９
【補正方法】変更
【補正の内容】
【請求項１９】
医療機関における各種業務の遂行と医療の質向上とを支援するコンピュータ実行可能な医療マネジメント支援プログラムであって、
上記コンピュータを、
上記医療機関における医療従事者の操作に応じて、患者を入院させて退院させるという作業をプロジェクトと捉え、プロジェクトマネジメント理論の１つであるクリティカルチェーン理論にしたがって、現在の状態から退院基準を満たす状態へと患者の状態を改善するために完了すべき一連の臨床行為をタスクとして並べ、臨床評価指標及び／又は臨床的アウトカムとして表される各タスクの完了基準、各タスクの実行に必要な所要時間、及び各タスクの実行に必要なリソースを設定するとともに、上記所要時間内でタスクが完了しない場合の猶予時間としてのバッファを挿入し、患者毎のプロジェクトネットワーク図の作成を行うネットワーク図作成手段、
上記ネットワーク図作成手段によって作成されたプロジェクトネットワーク図、及び患者に対する診療内容又は検査内容の記録を含む各種情報を記憶手段に記憶させる記憶制御手段、及び、
少なくとも上記記憶手段に記憶されているプロジェクトネットワーク図を、上記医療機関における医療従事者が閲覧する所定の表示手段に表示させる表示制御手段として機能させること
を特徴とする医療マネジメント支援プログラム。
【手続補正３】
【補正対象書類名】明細書
【補正対象項目名】００１５
【補正方法】変更
【補正の内容】
【００１５】
また、上述した目的を達成する本発明にかかる医療マネジメント支援方法は、医療機関における各種業務の遂行と医療の質向上とを支援する医療マネジメント支援方法であって、所定の医療マネジメント支援装置が、上記医療機関における医療従事者の操作に応じて、患者を入院させて退院させるという作業をプロジェクトと捉え、プロジェクトマネジメント理論の１つであるクリティカルチェーン理論にしたがって、現在の状態から退院基準を満たす状態へと患者の状態を改善するために完了すべき一連の臨床行為をタスクとして並べ、臨床評価指標及び／又は臨床的アウトカムとして表される各タスクの完了基準、各タスクの実行に必要な所要時間、及び各タスクの実行に必要なリソースを設定するとともに、上記所要時間内でタスクが完了しない場合の猶予時間としてのバッファを挿入し、患者毎のプロジェクトネットワーク図の作成を行うネットワーク図作成工程と、上記医療マネジメント支援装置が、上記ネットワーク図作成工程にて作成されたプロジェクトネットワーク図、及び患者に対する診療内容又は検査内容の記録を含む各種情報を記憶手段に記憶させる記憶工程と、上記医療マネジメント支援装置が、少なくとも上記記憶手段に記憶されているプロジェクトネットワーク図を、上記医療機関における医療従事者が閲覧する所定の表示手段に表示させる表示工程とを備えることを特徴としている。
【手続補正４】
【補正対象書類名】明細書
【補正対象項目名】００１６
【補正方法】変更
【補正の内容】
【００１６】
さらに、上述した目的を達成する本発明にかかる医療マネジメント支援プログラムは、医療機関における各種業務の遂行と医療の質向上とを支援するコンピュータ実行可能な医療マネジメント支援プログラムであって、上記コンピュータを、上記医療機関における医療従事者の操作に応じて、患者を入院させて退院させるという作業をプロジェクトと捉え、プロジェクトマネジメント理論の１つであるクリティカルチェーン理論にしたがって、現在の状態から退院基準を満たす状態へと患者の状態を改善するために完了すべき一連の臨床行為をタスクとして並べ、臨床評価指標及び／又は臨床的アウトカムとして表される各タスクの完了基準、各タスクの実行に必要な所要時間、及び各タスクの実行に必要なリソースを設定するとともに、上記所要時間内でタスクが完了しない場合の猶予時間としてのバッファを挿入し、患者毎のプロジェクトネットワーク図の作成を行うネットワーク図作成手段、上記ネットワーク図作成手段によって作成されたプロジェクトネットワーク図、及び患者に対する診療内容又は検査内容の記録を含む各種情報を記憶手段に記憶させる記憶制御手段、及び、少なくとも上記記憶手段に記憶されているプロジェクトネットワーク図を、上記医療機関における医療従事者が閲覧する所定の表示手段に表示させる表示制御手段として機能させることを特徴としている。
【手続補正書】
【提出日】平成19年11月1日(2007.11.1)
【手続補正１】
【補正対象書類名】明細書
【補正対象項目名】００１１
【補正方法】変更
【補正の内容】
【００１１】
又、椅子に腰掛ける動作において、足乗せ台２が座部１１の先端より前方に位置した場合、体重の重心が座部１１より離れるため腰を下ろす時に不安定になる欠点がある。
【手続補正書】
【提出日】平成19年9月11日(2007.9.11)
【手続補正１】
【補正対象書類名】特許請求の範囲
【補正対象項目名】請求項１
【補正方法】変更
【補正の内容】
【請求項１】
複数の識別情報による変動表示ゲームを表示可能な変動表示装置を備え、大当たりに当選した場合に該変動表示ゲームの結果を特別結果にするとともに遊技状態を遊技者にとって有利な特別遊技状態にするように構成された遊技機において、
前記変動表示装置の前面側において所定の演出空間を形成する演出空間形成部材を該変動表示装置の表示部を覆う状態で配設し、
前記演出空間形成部材により形成される演出空間内を遊動する演出物と、
前記演出物を遊動させるための人工風を形成する風形成手段と、
を備え、
前記演出空間形成部材の下辺の一部に前記風形成手段からの人工風を取り入れる吸気口を形成し、該人工風により吸気口の部位から前記演出物を舞い上げてから左右方向に舞い降りるように前記変動表示装置の表示部の前方において演出物を遊動させることで前記変動表示ゲームを演出するようにしたことを特徴とする遊技機。
【手続補正２】
【補正対象書類名】明細書
【補正対象項目名】０００７
【補正方法】変更
【補正の内容】
【０００７】
前記課題を解決するため、
請求項１に記載の発明は、
複数の識別情報による変動表示ゲームを表示可能な変動表示装置を備え、大当たりに当選した場合に該変動表示ゲームの結果を特別結果にするとともに遊技状態を遊技者にとって有利な特別遊技状態にするように構成された遊技機において、
前記変動表示装置の前面側において所定の演出空間を形成する演出空間形成部材を該変動表示装置の表示部を覆う状態で配設し、
前記演出空間形成部材により形成される演出空間内を遊動する演出物と、
前記演出物を遊動させるための人工風を形成する風形成手段と、
を備え、
前記演出空間形成部材の下辺の一部に前記風形成手段からの人工風を取り入れる吸気口を形成し、該人工風により吸気口の部位から前記演出物を舞い上げてから左右方向に舞い降りるように前記変動表示装置の表示部の前方において演出物を遊動させることで前記変動表示ゲームを演出するようにしたことを特徴としている。
【手続補正書】
【提出日】平成19年10月29日(2007.10.29)
【手続補正１】
【補正対象書類名】明細書
【補正対象項目名】００２６
【補正方法】変更
【補正の内容】
【００２６】
まず、壁面埋込型（図１（ａ）（ｂ））の消火栓格納箱１０について説明する。図１（ａ）（ｂ）において、１１は格納箱本体であり、直方体形状の有底の箱型をなすものであり、前面側は前面開口部１１ａ’を形成すると共に（図３参照）、前面開口部１１ａの内周面に全周に亘り、各内周面に直交する突出リブ１２が内側に向けて設けられている。この突出リブ１２には扉取付用の矩形フレーム１３(後述)を取り付けるためのアジャストボルト用透孔１２ａが複数貫設されている。
【手続補正２】
【補正対象書類名】明細書
【補正対象項目名】００２７
【補正方法】変更
【補正の内容】
【００２７】
１３は扉取付用の長方形の矩形フレーム（矩形フレーム部）であり、そのフレーム開口部１３ａは（図３）上記本体１１の前面開口部１１ａ’と略同様か若干大きな開口面積を有するように構成されている。また、上記フレーム１３の開口部１３ａの各内周面からは、各々後方（格納箱方向）に向けて取付板１４が上記内周面全周に亘り突設されており、その取付板１４の後端縁１４ａは、上記フレーム１３の後端縁１３ｂの位置よりさらに後方に位置するまで延長されている（図５参照）。
【手続補正３】
【補正対象書類名】明細書
【補正対象項目名】００３７
【補正方法】変更
【補正の内容】
【００３７】
本発明は上述のように構成されるものであるから、本発明の消火栓格納箱１０を設置する場合は、設置部の壁３０の設置開口部３１（図１（ｂ）参照）に格納箱本体１１を設置固定し、箱本体１１の前面開口部１１ａ’に矩形フレーム１３を宛がい、その突出リブ１５を上記箱本体１１の突出リブ１２に接合し、アジャストボルト取付用透孔１２ａ，１５ａを一致させると共に、同孔１２ａ，１５ａにアジャストボルトＢを挿入してナットＮにて当該フレーム１３を上記箱本体１１の前面側に取り付ける。これにより、上記格納箱本体１１前面側に矩形フレーム１３が取り付けられた（図１（ａ）（ｂ）参照）。
【手続補正４】
【補正対象書類名】明細書
【補正対象項目名】００６０
【補正方法】変更
【補正の内容】
【００６０】
１０      消火栓格納箱
１１      格納箱本体
１１ａ’  前面開口部
１３      矩形フレーム
１３ｃ    上横辺部
１３ｄ    左右縦辺部
１６      上部扉
１７      下部扉
１８      フラット型表示灯
１８’    アール型表示灯
１８”    赤色半球型表示灯
２１      発光ダイオード
２３ａ    テーパー面
【手続補正５】
【補正対象書類名】図面
【補正対象項目名】図３
【補正方法】変更
【補正の内容】
【図３】
2007229108.tif 000001
【手続補正書】
【提出日】平成19年4月18日(2007.4.18)
【手続補正１】
【補正対象書類名】明細書
【補正対象項目名】特許請求の範囲
【補正方法】変更
【補正の内容】
【特許請求の範囲】
【請求項１】  炭素を含むターゲットから基板に対し、その構成成分をスパッターする工程を含み、該スパッターが、
該ターゲットに電位を印加することを含み、該電位がパルスモードにある電源によって印加され、該パルスが、少なくとも第一部分と第二部分とを含み、該第二部分にある間に印加された電位が、該第一部分にある間に印加された電位よりも一層負の状態にあり、
該第二部分の第一小部分が、該第二部分の定常状態の電位よりも一層負の状態にあることを特徴とする、炭素フィルムの堆積方法。
【請求項２】  炭素を含むターゲットから基板に対し構成成分をスパッターする工程を含み、パルス化電源により該ターゲットに電力を供給し、該パルス化電源は、パルスの少なくとも一部については、負の電位を印加し、該部分は更に第一の値および該パルスの一部にある間に達成される定常状態の電位を含み、該第一の値は、その大きさにおいて、該定常状態の電位よりも25％以上大きいことを特徴とする、炭素フィルムの堆積方法。
【請求項３】  炭素を含むターゲットから基板に対し成分をスパッターする工程を含み、パルス化電源によって該ターゲットに電力を印加し、該パルス化電源は、パルスの少なくとも一部に対して、負の電位を印加し、該部分が更に、第一の値および第二の値を含み、該第一の値が、その大きさにおいて、該第二の値よりも大きく、該第一の値は、その大きさにおいて約900 Vより大きいことを特徴とする、炭素フィルムの堆積方法。
【請求項４】  炭素を含むターゲットから基板に対し、その構成成分をスパッターする工程を含み、該スパッターが、
該ターゲットに電位を印加することを含み、該電位がパルスモードにある電源によって印加され、該パルスが、少なくとも第一部分と第二部分とを含み、該第二部分にある間に印加された電位が、該第一部分にある間に印加された電位よりも一層負の状態にあり、該第二部分が平均電位を有し、
該第二部分の第一小部分が、該第二部分の平均電位よりも一層負の状態にあることを特徴とする、炭素フィルムの堆積方法。
【請求項５】  炭素を含むターゲットから基板に対し構成成分をスパッターする工程を含み、パルス化電源により該ターゲットに電力を供給し、該パルス化電源は、パルスの少なくとも一部については、負の電位を印加し、該部分は更に第一の値および該パルスの一部の平均電位を含み、該第一の値は、その大きさにおいて、該平均電位よりも25％以上大きいことを特徴とする、炭素フィルムの堆積方法。